(57)【要約】      （修正有）【課題】広告表示等の内容によって惹きつけられるか否かにかかわらず、装置自体の外観形状によって来店者が音声情報を再生する再生ボタンを押したくなるように誘導する音声情報提供装置を提供する。【解決手段】音声再生部１２、スピーカ１３、バッテリ１４が収納されるカップ本体１０と蓋体１１からなり、カップ本体１０には、スピーカ１３から出力される音声情報を本体底面１０ａおよび本体側面１０ｂから外部に流すための通孔１０ｃ、１０ｄが形成され、蓋体１１には、音声再生部１２の再生動作を起動させる押しボタンスイッチ１５が蓋体１１上面の中央の開口１１ｃに設けられ、押しボタンスイッチ１５の押圧面に表示情報を表示する表示領域Ｃが形成される構造とする。【選択図】図３
0003194841.tif 000002
【実用新案登録請求の範囲】
【請求項１】
本体底面および本体側面からなり、音声情報を再生する音声再生部、再生された音声情報を出力するスピーカ、音声再生部およびスピーカを駆動するためのバッテリが収納されるカップ本体と、
蓋体上面および蓋体側面からなり、当該蓋体上面の中央に開口が形成され、当該蓋体側面と前記本体側面とが当接するようにして前記カップ本体に着脱可能に取り付けられる蓋体とからなり、
前記カップ本体には、前記スピーカから出力される音声情報を本体底面および本体側面から外部に流すための通孔が形成され、
前記蓋体には、前記音声再生部の再生動作を起動させる押しボタンスイッチが前記蓋体上面の中央の開口に設けられ、前記押しボタンスイッチの押圧部分に表示情報を表示する表示領域が形成されることを特徴とする音声情報提供装置。
【請求項２】
前記押しボタンスイッチの押圧面にはポッティングによる透明樹脂層が形成され、当該透明樹脂層の下面に商品情報を表示する表示領域が形成される請求項１に記載の音声情報提供装置。
【考案の詳細な説明】
【技術分野】
【０００１】
本考案は、客（来店者）の注意を惹きつけて、商品等に関する情報を音声情報として提供するための音声情報提供装置に関する。本考案は、例えば店頭での販売促進のための広告宣伝用ツールとして利用される。
【背景技術】
【０００２】
店頭では、販売促進用ツールとして、紙等を広告媒体として視覚的に商品情報を提供するＰＯＰ広告が多数利用されているが、ＰＯＰ広告の紙面上に記載可能な情報量は限られているため、ＰＯＰ広告だけでなく音声情報によって、より多くの商品情報を提供することが行われている。
音声による情報提供を行うために従来から広く行われている方法は、ＣＤ、ＤＶＤ等の音声記憶媒体に広告宣伝の音声情報を録音しておき、商品の近くに音源となるＣＤ、ＤＶＤプレーヤーを設置して、録音された音声情報（あるいは映像情報と音声情報）を繰り返し再生するようにして宣伝する方法がなされている。
【０００３】
また、視覚情報と音声情報とにより情報提供を行うことができる販売促進ツールとして、「ＰＯＰ表記具」が開示されている（特許文献１参照）。このＰＯＰ表記具では、ＰＯＰとして広告情報が表記される表面シートを、吸盤等の取付部材で商品陳列棚に吊り下げたり、棚面の上に取り付けたりできるようにするとともに、表面シートの一部に音声再生ボタンと音声出力領域とを設けて来店者が再生ボタンを押すと音声情報が再生されるようにしてある。
【先行技術文献】
【特許文献】
【０００４】
【特許文献１】特開２００５−１６５１５６号公報
【考案の概要】
【考案が解決しようとする課題】
【０００５】
特許文献１に開示されたＰＯＰ表記具では、ＰＯＰ表記具を商品陳列棚に吊り下げたり、棚面に取り付けたりして来店者の目に留まるようにしている。そして、来店者が当該ＰＯＰ表記具の表示領域に表記された広告情報の内容を見て関心を持ったときに再生ボタンを押すようになっている。したがって、ＰＯＰ表記具の表示領域に表示された「表示情報」が来店者を惹きつける内容であることが求められることになる。
しかしながら、特許文献１のＰＯＰ表記具は、商品陳列棚に並べる商品の邪魔にならないように狭く限られた領域に取り付ける必要があるため、ＰＯＰ表記具の表示領域をあまり大きくすることができず、また表示領域に表記できる情報量や表記できる文字等の大きさも限られている。そのため、ＰＯＰ表記具の表示領域に記載された情報だけでは、来店者の関心を十分に惹きつけて、来店者が音声情報を聞くために再生ボタンを押したくなるように誘導することは、必ずしも十分にはできていない。
【０００６】
本考案は、客（来店者）が、ＰＯＰとして表示される広告表示等の内容によって惹きつけられるか否かにかかわらず、その装置自体の外観形状によって来店者が音声情報を再生する再生ボタンを押したくなるように誘導する音声情報提供装置を提供することを目的とする。
【課題を解決するための手段】
【０００７】
上記目的を達成するためになされた本考案の音声情報提供装置は、本体底面および本体側面からなり、音声情報を再生する音声再生部、再生された音声情報を出力するスピーカ、音声再生部およびスピーカを駆動するためのバッテリが収納されるカップ本体と、蓋体上面および蓋体側面からなり、当該蓋体上面の中央に開口が形成され、当該蓋体側面と前記本体側面とが当接するようにして前記カップ本体に着脱可能に取り付けられる蓋体とからなり、前記カップ本体には、前記スピーカから出力される音声情報を本体底面および本体側面から外部に流すための通孔が形成され、前記蓋体には、前記音声再生部の再生動作を起動させる押しボタンスイッチが前記蓋体上面の中央の開口に設けられ、前記押しボタンスイッチの押圧部分に表示情報を表示する表示領域が形成されるようにしてある。
【０００８】
本考案の音声情報提供装置は、販売促進用の広告板等に、カップ本体の径寸法に合わせた取付用の孔を形成しておき、カップ本体と蓋体（本体側面と蓋体側面の端面）とで、両側から取付用の孔を挟むようにして取り付けられる。あるいは、カップ本体の本体底面を、商品棚の棚面や展示用の箱体等に両面テープ等で貼り付けるようにして取り付けられる。これらのいずれかの方法で取り付けられた本考案の音声情報提供装置は、正面（蓋体の前方）から見ると、大きな押しボタンスイッチだけが目立つように配置されており、これを見た来店者がいかにも押しボタンを押したくなるように誘導することができる。
そして、押しボタンの押圧面に設けてある表示領域に商品情報を記載しておくことで、来店者の目を表示された商品情報に惹きつけることができるとともに押しボタンを押すように誘導することができ、また、商品情報を表示する代わりに、押しボタンを押すように誘導する表示（例えば「押して」等の文字表示）を設けておくだけで、来店者が押しボタンを押すように誘導することができ、押しボタンが押された後は音声情報を提供することができる。
このように、来店者に大きな「押しボタン」があることを見せることで、表示情報の内容にかかわらず、来店者がボタンを押したくなるように誘導することができ、結果として音声情報を来店者に提供することができ、販売促進につなげることができる。
【０００９】
上記考案において、前記押しボタンスイッチの押圧面にはポッティングによる透明樹脂層が形成され、当該透明樹脂層の下面に商品情報を表示する表示領域が形成されるようにしてもよい。
【００１０】
これにより、透明樹脂層が突出した押しボタンスイッチとすることができるので、来店者が押しボタンを押したくなる気持ちをさらに増すことができるとともに、その下の表示領域に表示された商品情報はレンズ効果によって浮き出して見えるようになり、来店者の注意を惹くことができる。
【図面の簡単な説明】
【００１１】
【図１】本考案の一実施形態である音声情報提供装置の全体斜視図。
【図２】図１の音声情報提供装置の底面図。
【図３】図１の音声情報提供装置の内部構造を示す概略断面図。
【図４】図１の音声情報提供装置の使用状態を示す図。
【図５】図１の音声情報提供装置の別の使用状態を示す図。
【考案を実施するための形態】
【００１２】
以下、本考案の実施形態について図面を用いて説明する。なお、本考案は、以下に説明するような実施形態に限定されるものではなく、本考案の趣旨を逸脱しない範囲で種々の態様が含まれることはいうまでもない。
【００１３】
図１は、本考案の一実施形態である音声情報提供装置Ａ全体を示す斜視図、図２は底面図、図３は内部構造を示す概略断面図である。この音声情報提供装置Ａは、直径が１０ｃｍ〜２０ｃｍ程度のカップ本体１０および蓋体１１からなる。
カップ本体１０は本体底面１０ａと本体側面１０ｂとからなり、本体底面１０ａおよび本体底面近傍の本体側面１０ｂには後述するスピーカ１３からの音声が外に流れ出るように通孔１０ｃ、１０ｄが形成してある。
【００１４】
カップ本体１０には音声を再生する機能を備えた音声基板（音声再生部）１２、スピーカ１３およびこれらを駆動するための電池（バッテリ）１４が収納される。音声基板１２は例えばメモリを搭載したＩＣチップ（例えばＩＣレコーダで使用）からなり、音声情報を録音したり録音された音声情報を再生したりすることができる。音声基板１２で再生された音声情報はスピーカ１３で増幅され、音声として出力される。
【００１５】
蓋体１１は蓋体上面１１ａと蓋体側面１１ｂとからなり、蓋体上面１１ａは周縁を残して中央に大きな開口１１ｃが形成されている。本体側面１０ｂの上端近傍の外周側と蓋体側面１１ｂの下端近傍の内周側とには、螺子溝が刻設してあり、互いに螺合することによって蓋体１１がカップ本体１０と着脱できるようにしてある。
蓋体上面１１ａには顎部１１ｄが形成されており、その内側には押しボタンスイッチ１５が取り付けられている。
【００１６】
押しボタンスイッチ１５は顎部１１ｄの内径よりもわずかに大径のベース部材１５ａと、その上面をポッティング加工によって覆うように盛られた透明樹脂層１５ｂとからなり、ベース部材１５ａの表面に表示された文字や図案等が透明樹脂層１５ｂのレンズ効果によって浮かび上がって見えるようにしてある。したがってこのベース部材１５ａの表面側は広告表示領域Ｃとして使用することができる。ベース部材１５ａの裏面側にはバネ１６が取り付けられ、これにより押しボタンスイッチ１５が顎部１１ｄに当接するように付勢されている。また、ベース部材１５ａの裏面側には突起１５ｃが設けられ、押しボタンスイッチ１５が押圧されたときに、音声基板１２に設けられた起動スイッチ１２ａを押圧することによって音声情報が再生されるようにしてある。
【００１７】
次に音声情報提供装置Ａの使用例について説明する。図４は本考案の使用状態の一例を示す概略図である。この使用例では、板部材２０（広告媒体）にカップ本体１０の外径よりわずかに小径にした取付孔を形成し、カップ本体１０と蓋体１１との端面どうしの当接面で板部材２０の取付孔の周縁を挟むようにして使用する。なお、板部材２０は、図４では説明の便宜上、小さな方形の板材として図示したが、大きな看板であってもよいし、箱体のような立体構造物の一つの面であってもよい。このように挟み込むように取り付けることで、蓋体１１の部分だけが板部材２０の前方に突出した状態になる。
【００１８】
図５は本考案の他の使用状態の一例を示す概略図である。この使用例では、両面テープ等を利用して、板部材２１にカップ本体１０の本体底面１０ａの外側を直接貼り付けて使用する。この取付方法は、例えば商品棚のように取り付けようとする面に孔を開けることができない場所でも使用することができる。この場合、本体底面１０ａの通孔１０ｃは閉じられているが、音声情報は本体側面１０ｂに形成した通孔１０ｄから流れることになる。
【産業上の利用可能性】
【００１９】
本考案は、客（来店者）を惹きつけて音声情報を流す音声情報提供装置に利用することができる。
【符号の説明】
【００２０】
Ａ  音声情報提供装置
Ｃ  広告表示領域（表示領域）
１０  カップ本体
１０ａ  本体底面
１０ｂ  本体側面
１０ｃ、１０ｄ  通孔
１１  蓋体
１１ａ  蓋体上面
１１ｂ  蓋体側面
１１ｃ  開口
１１ｄ  顎部
１２  音声基板（音声再生部）
１３  スピーカ
１４  電池（バッテリ）
１５  押しボタンスイッチ
１５ａ  ベース部材
１５ｂ  透明樹脂層
１５ｃ  突起
１６  バネ
【図１】
0003194841.tif 000003
【図２】
0003194841.tif 000004
【図３】
0003194841.tif 000005
【図４】
0003194841.tif 000006
【図５】
0003194841.tif 000007